(57)【特許請求の範囲】
【請求項１】
複数の記録媒体が取付け可能な電子スチルカメラであって、
一回の撮影動作に応じて、被写体の像に対応する１つの画像信号を、通常記録モードにしたがって１つの記録媒体に記録する、または複数記録モードにしたがって複数の記録媒体に記録する複数の記録手段と、
この複数の記録手段を前記通常および複数記録モードの一方の記録モードにより駆動制御する制御手段とを備え、
前記複数記録モードが、前記複数の記録手段が同時に動作する同時記録モードおよび順次動作する連続記録モードを含み、前記制御手段が、電源の出力電圧が基準値以上であれば同時記録モードを選択し、基準値以下であれば連続記録モードを選択する
ことを特徴とする電子スチルカメラ。
【請求項２】
前記連続記録モードが選択された場合、前記制御手段が、前記複数の記録媒体より検出された消費電流値に基づき同時および連続記録モードの一方の記録モードを再度選択することを特徴とする請求項１に記載の電子スチルカメラ。
【請求項３】
前記記録媒体がＩＣメモリカードであることを特徴とする請求項１に記載の電子スチルカメラ。
【発明の詳細な説明】
【０００１】
【産業上の利用分野】
本発明は、ＣＣＤ等の撮像装置により得られた静止画像信号を、ＩＣメモリカード等の記録媒体に記録する電子スチルカメラに関する。
【０００２】
【従来の技術】
従来、複数のメモリカード（記録媒体）が取付け可能な電子スチルカメラとして、特開平５−９１４５５  号公報に記載された電子カメラが知られている。この電子カメラは２枚以上のカードスペース（スロット）を有しており、各カードスペースに取付けられた各々のメモリカードの記録容量残を検出していずれかのメモリカードに画像信号を記録するよう構成されている。またこの電子カメラはダビングを行うこともできる。
【０００３】
【発明が解決しようとする課題】
しかしながら、上記従来の電子カメラでは、撮影中は１つの画像信号を１つの記録媒体にしか記録することができないので、これから撮影する画像を複数の記録媒体に記録したい場合、１度撮影し、撮影後に改めてダビング等をする必要があり、その作業は煩雑であった。
【０００４】
本発明は以上の課題を解決するためのものであり、これから撮影する画像を複数の記録媒体に記録したい場合に、１回の撮影動作で同じ画像信号を複数の記録媒体に記録するモードを設け、後からダビング等を行う必要がない電子スチルカメラを提供することを目的としている。
【０００５】
【問題を解決するための手段】
本発明に係る電子スチルカメラは、複数の記録媒体が取付け可能な電子スチルカメラであって、一回の撮影動作に応じて、被写体の像に対応する１つの画像信号を、通常記録モードにしたがって１つの記録媒体に記録する、または複数記録モードにしたがって複数の記録媒体に記録する複数の記録手段と、この複数の記録手段を前記通常および複数記録モードの一方の記録モードにより駆動制御する制御手段とを備えたことを特徴とすることを特徴としている。
【０００６】
【実施例】
以下図示実施例により本発明を説明する。
図１は本発明の一実施例である電子スチルカメラのブロック図である。同図を参照して本実施例の電子スチルカメラの動作を説明する。
【０００７】
レンズ１２およびＣＣＤ１３等により得られた静止画像信号は、画像圧縮伸張回路１７等で適当な処理が施された後、第１、第２および第３スロット３１〜３３に出力され、通常記録モードが選択されている場合、いずれかのＩＣメモリカードに記録され、複数記録モードが選択されている場合、ＩＣメモリカード４１〜４３の全てに記録される。
【０００８】
ＣＣＤ１３には、撮像回路１４が接続されている。この撮像回路１４からはＴＧパルス、垂直あるいは水平転送パルス等がＣＣＤ１３に出力され、ＣＣＤ１３の駆動が制御される。ＣＣＤ１３はレンズ１２等を通って結像された被写体の像を光電変換してアナログの画像信号に変換し、この画像信号を一定の周期（通常約１／６０秒周期）で撮像回路１４に出力する。撮像回路１４では、ＣＣＤ１３から出力された画像信号が、例えばＲ信号、Ｇ信号およびＢ信号に変換され映像信号処理回路１５に出力される。
【０００９】
映像信号処理回路１５において、動画モニタ時には、ＲＧＢ画像信号は輝度信号Ｙおよび色差信号Ｐｒ、Ｐｂに変換され、動画の映像信号として図示しないモニタ装置に出力される。これに対して静止画の記録時または再生時には、画像信号は映像信号処理回路１５に接続された画像メモリ１６に一旦格納され、記録時または再生時に再び画像メモリ１６から読み出されて画像圧縮伸張回路１７またはモニタ装置に出力される。
【００１０】
画像圧縮伸張回路１７では、操作部２１に設けられたスイッチを介して設定された圧縮率に基づいて画像信号が圧縮処理され、ＩＣメモリカード制御回路１８に出力される。また再生時には圧縮された画像信号が同じ圧縮率でもとの画像信号に伸張処理され、映像信号処理回路１５に出力される。
【００１１】
ＩＣメモリカード制御回路１８では、画像圧縮伸張回路１７から出力された画像信号が各スロットに３１〜３３に出力され、再生時にはいずれかのスロットから画像信号が読み出される。また領域を指定するアドレス信号、書込みパルスまたは読み込みパルスが出力され、各スロット３１〜３３の記録、再生動作を駆動制御する。
【００１２】
各スロット３１〜３３にはＩＣメモリカード４１〜４３が取付けられている。ＩＣメモリカード４１〜４３は、各スロット３１〜３３内に設けられたコネクタピンに電気的に接続されており、各スロット３１〜３３はコネクタピンを介して画像信号をＩＣメモリカード４１〜４３に書込み、また読み出す。
【００１３】
第１スロット３１には、システム制御回路１１からカードイネーブル信号１／ＣＥ１（／は反転を意味する）が出力される。この／ＣＥ１がローレベル（Ｌ）のとき第１スロット３１は動作可能な状態になり、一方／ＣＥ１がハイレベル（Ｈ）のとき第１スロット３１は動作不能な状態になる。同様に第２、第３スロット３２、３３には／ＣＥ２、／ＣＥ３がそれぞれ出力される。
【００１４】
バッテリ２４はこの電子スチルカメラの電源であり、バッテリ２４の出力電圧はＡ／Ｄコンバータ２５を介してシステム制御回路１１に検出される。電源回路２３はバッテリ２４および第１〜第３スロット３１〜３３に接続しており、スロット３１〜３３にバッテリ２４より供給された電圧を印加する。したがって例えば第１スロット３１は、電源回路２３により電圧を印加され、かつ／ＣＥ１の出力が“Ｌ”の状態のとき、記録、再生（読み出し）動作を行うことができる。
【００１５】
操作部２１は、レリーズボタン、撮影モード入力スイッチおよび圧縮率設定スイッチ等を備えており、撮影者により撮影モードおよび圧縮率等がスイッチを介して設定され、またレリーズボタンが押下される。表示部２２は、撮影モード表示部および圧縮率表示部等を備えており、操作部２１により設定された撮影モードおよび圧縮率等が表示される。
【００１６】
なお、撮像回路１４、映像信号処理回路１５、画像圧縮伸長回路１７、ＩＣメモリカード制御回路１８、電源回路２３、操作部２１、表示部２２および各スロット３１〜３３等の各動作は、システム制御回路１１により制御される。
【００１７】
次に、図２、３のフローチャートを参照して本実施例の駆動装置の記録時における具体的な動作を説明する。同図のフローチャートに示すプログラムは、システム制御回路１１により実行され、操作部２１のレリーズボタンが押下され、不図示のレリーズスイッチがオンしたとき、開始される。
【００１８】
まずステップ１０１においてバッテリ２４の出力電圧値が検出される。次にステップ１０２では撮像動作が実行される。すなわちＣＣＤ１３から撮像回路１４に読み出された画像信号は、映像信号処理回路１５において所定のフォーマットに変換された後、画像メモリ１６に一旦格納される。ステップ１０３では操作部２１における設定にしたがって通常記録モードまたは複数記録モードのいずれかが選択されているのかを判別する。
【００１９】
通常記録モードが選択されている場合、ステップ１０４において通常撮影動作が実行され、画像信号が１つのＩＣメモリカードに記録される。記録動作が終了するとステップ１１９においてＩＣメモリカードの次の記録領域が設定される。次いでステップ１２０ではレリーズボタンが引続き押下されているか否かが検出され、押下されていなければ（レリーズスイッチがオフ）撮影は終了し、押下されていれば（レリーズスイッチがオン）ステップ１０２に戻り、再び上述した記録動作が繰り返される。
【００２０】
一方、複数記録モードが選択されるとステップ１０５以下において複数記録撮影動作が実行され、１回の撮影動作により、同一の画像信号が３枚のＩＣメモリカード４１〜４３にそれぞれ記録される。
【００２１】
複数記録モードには、スロット３１〜３３が同時に動作する同時記録モードと、各スロット３１〜３３が順次動作する連続記録モードとがある。連続記録モードでは、まず第１スロット３１が動作し、ＩＣメモリカード４１への書込みが終了してから第２スロット３２が動作し、ＩＣメモリカード４２への書込みが終了してから第３スロット４３が動作する。「同時記録モード」は１枚の記録に要する時間で３枚のＩＣメモリカード４１〜４３に記録可能な反面、記録時（特に／ＣＥ１〜３がＬの期間）の消費電流が急激に増加するため、スロット３１〜３３に供給される出力電圧が小さいと動作できない。これに対し、「連続記録モード」は同時記録モードに比べて記録に時間がかかる反面、出力電圧値が１枚の記録のために充分な大きさであれば、同時記録モードでは動作不能な場合でも動作可能である。なお、１コマ分の画像信号をＩＣメモリカードに書き込むのに要する時間は数十ミリ秒なので、連続記録モードの場合であっても連写性（連続して複数コマ撮影すること）が著しく損なわれることはない。
【００２２】
ステップ１０５では、ステップ１０１で検出されたバッテリ２４の出力電圧値に基づき、スロット３１〜３３に供給される出力電圧値が、同時記録モードを動作するのに必要な値（基準値）以上であるか否かが判断される。この基準値は、最も電源電流値の大きい状態、すなわち最も使用電流の大きい３枚のＩＣメモリカードに同時に記録するときに必要な電圧値に基づいて設定される。スロット３１〜３３に供給可能な出力電圧値が基準値以上、すなわち同時記録モードが可能であると判断されると、ステップ１０６において同時記録モードが選択され、ステップ１０７において記録用サブルーチンが実行され、画像信号が３枚のＩＣメモリカード４１〜４３に同時に書き込まれる。そして、ステップ１１９においてＩＣメモリカードの次の記録領域が設定された後、ステップ１２０においてレリーズスイッチがオフされていると判断されると撮影は終了し、オンされていると判断されるとステップ１０２に戻り、上述した動作が繰り返される。
【００２３】
一方ステップ１０５において、スロット３１〜３３に供給可能な出力電圧値が基準値より小さいと判断されると、ステップ１０８〜１１１が実行され、ＩＣメモリカードのカード属性情報の電源情報として記録されている消費電流値に基づいて、同時記録モードが可能か否かが再度検討される。なお現在のＩＣメモリカードの標準規格であるＪＥＩＤＡ（Ｖｅｒ．４．２）（Ｊａｐａｎ  Ｅｌｅｃｔｒｏｎｉｃ  Ｉｎｄｕｓｔｒｉｅｓ  Ｄｅｖｅｌｏｐｍｅｎｔ  Ａｓｓｏｃｉａｔｉｏｎ  ；  日本電子工業振興協会）では、カード属性情報の電源情報をＩＣメモリカードに記録するフォーマットが規定されているため、多くの場合ＩＣメモリカードに電源情報が記録されている。
【００２４】
ステップ１０８では、ＩＣメモリカード４１〜４３のカード属性情報に電源情報（消費電流値）が記録されているか否かが検出される。ＩＣメモリカード４１〜４３の何れにも電源情報が記録されていなければ、ステップ１１２において連続記録モードが選択される。これに対し、少なくともＩＣメモリカード４１〜４３の何れかに電源情報が記録されていれば、ステップ１０９において電源情報に記録されているＩＣメモリカードの消費電流値が読み出され、ステップ１１０において、同時記録モードを選択した場合に記録動作に要する消費電流値の合計値が演算される。ステップ１１１では、この合計値およびスロットに供給可能な出力電圧値に基づいて同時記録モードが動作可能か否かが判断される。同時記録モードが動作可能であると判断されると、ステップ１０６に戻って同時記録モードが実行され、同時記録モードが動作できないと判断されると、ステップ１１２へ進み、連続記録モードが実行される。
【００２５】
連続記録モードでは、まずステップ１１３において第１スロット３１が選択され、ステップ１１４において記録用サブルーチンが起動し、ＩＣメモリカード４１に画像信号が記録される。次にステップ１１５において第２スロット３２が選択され、ステップ１１６において記録用サブルーチンが実行され、ＩＣメモリカード４２に同じ画像信号が記録される。以下同様にして、ステップ１１７において第３スロット３３が選択され、ステップ１１８の記録用サブルーチンが実行され、ＩＣメモリカード４３に画像信号が記録される。ステップ１１９では各ＩＣメモリカード４１〜４３の次の記録領域が設定される。ステップ１２０において、レリーズスイッチがオフされているか否かが検出され、オフならば撮影は終了し、オンならばステップ１０２に戻り、再び撮影動作が繰り返される。
【００２６】
次にステップ１０７（図２）の同時記録モードにおける記録用サブルーチンの動作（図４）を、図５の同時記録モードの動作を示すタイミングチャートを参照しつつ詳細に説明する。
【００２７】
まずステップ２０１では連続記録モードが選択されていないと判断され、ステップ２２０において同時記録モードが選択されていると判断される。ステップ２２１では、電源回路２３を介して第１〜３スロット３１〜３３が同時に通電される（符号Ｑ１）。ステップ２２２ではスロット３１〜３３にそれぞれ出力される各／ＣＥ１〜３が同時に“Ｈ”から“Ｌ”に切り換えられ（符号Ｑ２）、これによりスロット３１〜３３は各々のＩＣメモリカード４１〜４３へ記録可能な状態になる。
【００２８】
ステップ２２３では記録動作が開始される（符号Ｑ３）。すなわち画像メモリ１６から画像信号が読み出されて各スロットに出力され、各スロット３１〜３３に書き込まれる。同じ画像信号がＩＣメモリカード４１〜４３にそれぞれ記録されると記録動作は終了する（符号Ｑ４）。
【００２９】
ステップ２２４では、スロット３１〜３３に出力される各／ＣＥ１〜３が同時に“Ｌ”から“Ｈ”に切り換えられる（符号Ｑ５）。この後ステップ２２５において、各スロット３１〜３３の通電が同時に停止され（符号Ｑ６）、記録用サブルーチンは終了する。
【００３０】
なお、ステップ２２０において同時記録モードが選択されないと、ステップ２２６においてエラー処理が起動し、例えば表示部２２にエラー信号が出力される。
【００３１】
次に連続記録モードにおける図４の記録用サブルーチン（ステップ１１４、１１６、１１８）の具体的な動作を、図６に示す連続記録モードの動作を表すタイミングチャートを参照しつつ説明する。
【００３２】
連続記録モードでは、ステップ１１３（図３）において第１スロット３１が選択され、まずステップ１１４の記録用サブルーチンが起動する。そしてステップ２０１、２０２の順に実行され、ステップ２０３において電源回路２３により第１スロット３１のみが通電される（符号Ｒ１）。ステップ２０４では／ＣＥ１の出力が“Ｈ”から“Ｌ”に切り換えらる（符号Ｒ２）。以上により第１スロット３１が動作可能な状態になる。
【００３３】
この後ステップ２０５において第１スロット３１の記録動作が開始し（符号Ｒ３）、ＩＣメモリカード４１に画像信号が記録される。記録動作が終了すると（符号Ｒ４）、ステップ２０６において／ＣＥ１の出力が“Ｌ”から“Ｈ”に切り換えられ（符号Ｒ５）、ステップ２０７において第１スロット４１への通電が停止される（符号Ｒ６）。そして記録用サブルーチンは終了してフローチャート（図３）に戻る。
【００３４】
次にステップ１１５において第２スロット３２が選択され、ステップ１１６の記録用サブルーチンが起動する。そしてステップ２０１、２０２、２０８の順に実行され、以下、上述した第１スロット３１の記録動作と同様にして、第２スロット３２のみが通電され（ステップ２０９、符号Ｒ７）、／ＣＥ２の出力が“Ｌ”に切り換えられ（ステップ２１０、符号Ｒ８）、第２スロット３２の記録動作が開始し（ステップ２１１、符号Ｒ９）、ＩＣメモリカード４２に画像信号が記録される。記録動作が終了すると（符号Ｒ１０）、第２スロット３２への／ＣＥ２の出力が“Ｈ”に切り換えられた後（ステップ２１２、符号Ｒ１１）、第２スロット４２への通電が停止され（ステップ２１３、符号Ｒ１２）、記録用サブルーチンは終了し、フローチャートに戻る。
【００３５】
同様にして、次に第３スロット３３が選択され（ステップ１１７）、ステップ１１８の記録用サブルーチンが起動する。そしてステップ２０１、２０２、２０８、２１４の順に実行され、第３スロット３３のみが通電される（ステップ２１５、符号Ｒ１３）。そして／ＣＥ３の出力が“Ｌ”に切り換えられ（ステップ２１６、符号Ｒ１４）、第３スロット３３の記録動作が開始し（ステップ２１７、符号Ｒ１５）、ＩＣメモリカード４３に画像信号が記録される。記録動作が終了すると（符号Ｒ１６）、／ＣＥ３の出力が“Ｈ”に切換えられ（ステップ２１８、符号Ｒ１７）、第３スロット３３への通電が停止されて（ステップ２１９、符号Ｒ１８）記録用サブルーチンは終了する。
【００３６】
なお、上述した動作において、スロット３１〜３３のいずれも選択されなければエラー処理（ステップ２２６）が実行され、表示部２２にエラー表示が出力される。
【００３７】
上記の構成により、例えばこれから撮影する画像の記録が複数欲しいような場合に、本実施例の電子スチルカメラでは通常１枚の撮影にかかる動作および時間で、同じ画像記録を複数のＩＣメモリカードに同時に記録できる。したがって後からダビング等の煩雑な作業をする必要がなく便利である。
【００３８】
また複数記録モードで撮影中に消耗等によりバッテリ２４の出力電圧が低下し、同時記録モードでは動作できなくなっても、連続記録モードが自動的に選択され、引続き複数記録撮影を続けることができる。
【００３９】
また本実施例ではスロット３１〜３３が３個の電子スチルカメラについて説明したが、スロットが２個または４個以上の場合であっても本実施例と同様の効果が得られる。
【００４０】
【発明の効果】
以上説明したように本発明の電子スチルカメラによれば、これから撮影する画像の記録が複数欲しい場合に、１回の撮影動作で同じ画像信号を複数の記録媒体に記録することができ、後からダビング等をする必要がなく、便利である。
【図面の簡単な説明】
【図１】本発明の一実施例の電子スチルカメラの回路構成を示すブロック図である。
【図２】システム制御回路の動作を示すフローチャートである。
【図３】システム制御回路の動作を示すフローチャートである。
【図４】記録用サブルーチンを示すフローチャートである。
【図５】同時記録モードの動作を示すタイミングチャートである。
【図６】連続記録モードの動作を示すタイミングチャートである。
【符号の説明】
４１、４２、４３  ＩＣメモリカード（記録媒体）
３１  第１スロット（記録手段）
３２  第２スロット（記録手段）
３３  第３スロット（記録手段）
１１  システム制御回路（制御手段）
１８  ＩＣメモリカード制御回路（制御手段）
２３  電源回路（制御手段）
２４  バッテリ（電源）
【図１】
0003615780.tif 000002
【図２】
0003615780.tif 000003
【図３】
0003615780.tif 000004
【図４】
0003615780.tif 000005
【図５】
0003615780.tif 000006
【図６】
0003615780.tif 000007